(57)【特許請求の範囲】
【請求項１】
伝達すべき情報に基づく電界が電界伝達媒体に誘起されてなされる通信における当該情報を電極により送信または受信する通信回路と、
前記電極に対向する複数の画素電極を有する駆動回路と前記電極を有する表示回路と、
前記電極と前記駆動回路に信号を供給して前記表示装置に情報を表示させる表示制御部と、
前記電極を前記通信回路または前記表示制御部に切り替えて接続するスイッチ回路と、
前記通信回路に接続された電源スイッチと、
前記電源スイッチがオフからオンになったか否かを判定し、オンになった場合、前記電極が前記表示制御部から前記通信回路に切り替えて接続されるように前記スイッチ回路を制御し、前記電源スイッチがオンからオフになったか否かを判定し、オフになった場合、前記電極が前記通信回路から前記表示制御部に切り替えて接続されるように前記スイッチ回路を制御する切替制御回路と
を備えることを特徴とするトランシーバ。
【請求項２】
前記表示制御部は、
前記電源スイッチがオフからオンになったとの判定結果を受けて、前記電極が前記通信回路に接続される前に、前記表示装置に情報を表示させる
ことを特徴とする請求項１記載のトランシーバ。
【請求項３】
前記表示制御部は、
前記電源スイッチがオンからオフになったとの判定結果を受けて、前記電極が前記表示制御部に接続された後に、前記表示装置に情報を表示させる
ことを特徴とする請求項１記載のトランシーバ。
【請求項４】
前記通信回路による累積の通信量が記憶されるメモリを備え、
前記通信回路は累積の通信量を前記メモリに記憶させ、
前記切替制御回路は、
前記電源スイッチがオンであるときに、前記メモリに記憶された通信量の増加量が予め設定された量を超えたか否かを判定し、超えたと判定されるごとに、前記電極を前記表示制御部に切り替えて接続させるとともに、超えたとの判定結果を受けた前記表示制御部により前記表示装置に情報が表示された後に、前記電極を前記通信回路に切り替えて接続させる
ことを特徴とする請求項１ないし３のいずれかに記載のトランシーバ。
【請求項５】
伝達すべき情報に基づく電界が電界伝達媒体に誘起されてなされる通信における当該情報を電極により送信または受信する通信回路と、
前記電極に対向する複数の画素電極を有する駆動回路と前記電極を有する表示回路と、
前記電極と前記駆動回路に信号を供給して前記表示装置に情報を表示させる表示制御部と、
前記電極を前記通信回路または前記表示制御部に切り替えて接続するスイッチ回路と、
前記通信回路に接続された電源スイッチと、
前記スイッチ回路を制御する切替制御回路とを備えるトランシーバにおける動作方法であって、
前記切替制御回路が、前記電源スイッチがオフからオンになったか否かを判定するステップと、
前記切替制御回路が、前記電源スイッチがオンになった場合、前記電極が前記表示制御部から前記通信回路に切り替えて接続されるように前記スイッチ回路を制御するステップと
を含むことを特徴とするトランシーバにおける動作方法。
【請求項６】
伝達すべき情報に基づく電界が電界伝達媒体に誘起されてなされる通信における当該情報を電極により送信または受信する通信回路と、
前記電極に対向する複数の画素電極を有する駆動回路と前記電極を有する表示回路と、
前記電極と前記駆動回路に信号を供給して前記表示装置に情報を表示させる表示制御部と、
前記電極を前記通信回路または前記表示制御部に切り替えて接続するスイッチ回路と、
前記通信回路に接続された電源スイッチと、
前記スイッチ回路を制御する切替制御回路とを備えるトランシーバにおける動作方法であって、
前記切替制御回路が、前記電源スイッチがオフからオンになったか否かを判定するステップと、
前記表示制御部が、前記電源スイッチがオンになった場合、前記表示装置に情報を表示させるステップと、
前記切替制御回路が、前記電極が前記表示制御部から前記通信回路に切り替えて接続されるように前記スイッチ回路を制御するステップと
を含むことを特徴とするトランシーバにおける動作方法。
【請求項７】
伝達すべき情報に基づく電界が電界伝達媒体に誘起されてなされる通信における当該情報を電極により送信または受信する通信回路と、
前記電極に対向する複数の画素電極を有する駆動回路と前記電極を有する表示回路と、
前記電極と前記駆動回路に信号を供給して前記表示装置に情報を表示させる表示制御部と、
前記電極を前記通信回路または前記表示制御部に切り替えて接続するスイッチ回路と、
前記通信回路に接続された電源スイッチと、
前記スイッチ回路を制御する切替制御回路とを備えるトランシーバにおける動作方法であって、
前記切替制御回路が、前記電源スイッチがオンからオフになったか否かを判定するステップと、
前記切替制御回路が、前記電源スイッチがオフになった場合、前記電極が前記通信回路から前記表示制御部に切り替えて接続されるように前記スイッチ回路を制御するステップと
を含むことを特徴とするトランシーバにおける動作方法。
【請求項８】
伝達すべき情報に基づく電界が電界伝達媒体に誘起されてなされる通信における当該情報を電極により送信または受信する通信回路と、
前記電極に対向する複数の画素電極を有する駆動回路と前記電極を有する表示回路と、
前記電極と前記駆動回路に信号を供給して前記表示装置に情報を表示させる表示制御部と、
前記電極を前記通信回路または前記表示制御部に切り替えて接続するスイッチ回路と、
前記通信回路に接続された電源スイッチと、
前記スイッチ回路を制御する切替制御回路とを備えるトランシーバにおける動作方法であって、
前記切替制御回路が、前記電源スイッチがオンからオフになったか否かを判定するステップと、
前記切替制御回路が、前記電源スイッチがオフになった場合、前記電極が前記通信回路から前記表示制御部に切り替えて接続されるように前記スイッチ回路を制御するステップと、
前記表示制御部が、前記表示装置に情報を表示させるステップと
を含むことを特徴とするトランシーバにおける動作方法。
【請求項９】
伝達すべき情報に基づく電界が電界伝達媒体に誘起されてなされる通信における当該情報を電極により送信または受信する通信回路と、
前記電極に対向する複数の画素電極を有する駆動回路と前記電極を有する表示回路と、
前記電極と前記駆動回路に信号を供給して前記表示装置に情報を表示させる表示制御部と、
前記電極を前記通信回路または前記表示制御部に切り替えて接続するスイッチ回路と、
前記通信回路に接続された電源スイッチと、
前記スイッチ回路を制御する切替制御回路と
前記通信回路による累積の通信量が記憶されるメモリを備えるトランシーバにおける動作方法であって、
前記切替制御回路が、前記電源スイッチがオフからオンになったか否かを判定するステップと、
前記切替制御回路が、前記電源スイッチがオンになった場合、前記電極が前記表示制御部から前記通信回路に切り替えて接続されるように前記スイッチ回路を制御するステップと
前記切替制御回路が、前記メモリに記憶された通信量の増加量が予め設定された量を超えたか否かを判定するステップと、
前記切替制御回路が、超えたと判定された場合、前記電極を前記表示制御部に切り替えて接続させるステップと、
前記表示制御部が、前記表示装置に情報を表示させるステップと、
前記切替制御回路が、前記電極を前記通信回路に切り替えて接続させるステップと、
前記切替制御回路が、前記電源スイッチがオンからオフになったか否かを判定するステップと、
前記切替制御回路が、前記電源スイッチがオフになった場合、前記電極が前記通信回路から前記表示制御部に切り替えて接続されるように前記スイッチ回路を制御するステップと
を含むことを特徴とするトランシーバにおける動作方法。
【発明の詳細な説明】
【技術分野】
【０００１】
本発明は、小型化が可能なトランシーバおよびトランシーバにおける動作方法に関するものである。
【背景技術】
【０００２】
近年においては、人体などの電界伝達媒体に電界を誘起させて行う通信に関する研究がなされている（非特許文献１参照）。
【０００３】
図８は、そのような通信のしくみを説明するための模式図である。例えば、左のトランシーバ１Ｘは、右のトランシーバ１Ｘに伝達すべき情報に基づく電圧を自身の電極１２Ａ’、１２Ｂ’間に印加する。すると、電極１２Ａ’、人体などの電界伝達媒体Ｍ、右のトランシーバ１Ｘの電極１２Ａ’、１２Ｂ’、大地、左のトランシーバ１Ｘの電極１２Ｂ’を通って、左のトランシーバ１Ｘの電極１２Ａ’に戻る電界の経路が形成される。右のトランシーバ１Ｘは、自身の電極１２Ａ’、１２Ｂ’間に誘起される電界によって生じる電圧により情報を検出する。
【非特許文献１】"RedTacton"、［ｏｎｌｉｎｅ］、日本電信電話株式会社、［平成１９年３月８日検索］、インターネット〈ＵＲＬ：http://www.redtacton.com/〉
【発明の開示】
【発明が解決しようとする課題】
【０００４】
右のトランシーバ１Ｘの電極１２Ａ’、１２Ｂ’間に誘起される電界は、左のトランシーバ１Ｘの電極１２’Ａ、１２Ｂ’、右のトランシーバ１Ｘの電極１２Ａ’、１２Ｂ’が大きいほど強く、こうして検出の感度を向上させることができる。
【０００５】
一方で、トランシーバにあっては、その通信回路を収納する筐体を小さくし、例えばカード型にしたいという要望がある。そこで問題なのが、２つの電極の配置である。特に、表示装置を内蔵する場合は、大きな筐体が必要になる。そのため、トランシーバの小型化が困難となってしまう。
【０００６】
本発明は、上記の課題に鑑みてなされたものであり、その目的とするところは、小型化が可能なトランシーバを提供することにある。
【課題を解決するための手段】
【０００７】
上記の課題を解決するために、請求項１の本発明は、伝達すべき情報に基づく電界が電界伝達媒体に誘起されてなされる通信における当該情報を電極により送信または受信する通信回路と、前記電極に対向する複数の画素電極を有する駆動回路と前記電極を有する表示回路と、前記電極と前記駆動回路に信号を供給して前記表示装置に情報を表示させる表示制御部と、前記電極を前記通信回路または前記表示制御部に切り替えて接続するスイッチ回路と、前記通信回路に接続された電源スイッチと、前記電源スイッチがオフからオンになったか否かを判定し、オンになった場合、前記電極が前記表示制御部から前記通信回路に切り替えて接続されるように前記スイッチ回路を制御し、前記電源スイッチがオンからオフになったか否かを判定し、オフになった場合、前記電極が前記通信回路から前記表示制御部に切り替えて接続されるように前記スイッチ回路を制御する切替制御回路とを備えることを特徴とするトランシーバをもって解決手段とする。
【０００９】
請求項２の本発明は、前記表示制御部は、前記電源スイッチがオフからオンになったとの判定結果を受けて、前記電極が前記通信回路に接続される前に、前記表示装置に情報を表示させることを特徴とする請求項１記載のトランシーバをもって解決手段とする。
【００１０】
請求項３の本発明は、前記表示制御部は、前記電源スイッチがオンからオフになったとの判定結果を受けて、前記電極が前記表示制御部に接続された後に、前記表示装置に情報を表示させることを特徴とする請求項１記載のトランシーバをもって解決手段とする。
【００１１】
請求項４の本発明は、前記通信回路による累積の通信量が記憶されるメモリを備え、前記通信回路は累積の通信量を前記メモリに記憶させ、前記切替制御回路は、前記電源スイッチがオンであるときに、前記メモリに記憶された通信量の増加量が予め設定された量を超えたか否かを判定し、超えたと判定されるごとに、前記電極を前記表示制御部に切り替えて接続させるとともに、超えたとの判定結果を受けた前記表示制御部により前記表示装置に情報が表示された後に、前記電極を前記通信回路に切り替えて接続させることを特徴とする請求項１ないし３のいずれかに記載のトランシーバをもって解決手段とする。
【００１２】
請求項５の本発明は、伝達すべき情報に基づく電界が電界伝達媒体に誘起されてなされる通信における当該情報を電極により送信または受信する通信回路と、前記電極に対向する複数の画素電極を有する駆動回路と前記電極を有する表示回路と、前記電極と前記駆動回路に信号を供給して前記表示装置に情報を表示させる表示制御部と、前記電極を前記通信回路または前記表示制御部に切り替えて接続するスイッチ回路と、前記通信回路に接続された電源スイッチと、前記スイッチ回路を制御する切替制御回路とを備えるトランシーバにおける動作方法であって、前記切替制御回路が、前記電源スイッチがオフからオンになったか否かを判定するステップと、前記切替制御回路が、前記電源スイッチがオンになった場合、前記電極が前記表示制御部から前記通信回路に切り替えて接続されるように前記スイッチ回路を制御するステップとを含むことを特徴とするトランシーバにおける動作方法をもって解決手段とする。
【００１３】
請求項６の本発明は、伝達すべき情報に基づく電界が電界伝達媒体に誘起されてなされる通信における当該情報を電極により送信または受信する通信回路と、前記電極に対向する複数の画素電極を有する駆動回路と前記電極を有する表示回路と、前記電極と前記駆動回路に信号を供給して前記表示装置に情報を表示させる表示制御部と、前記電極を前記通信回路または前記表示制御部に切り替えて接続するスイッチ回路と、前記通信回路に接続された電源スイッチと、前記スイッチ回路を制御する切替制御回路とを備えるトランシーバにおける動作方法であって、前記切替制御回路が、前記電源スイッチがオフからオンになったか否かを判定するステップと、前記表示制御部が、前記電源スイッチがオンになった場合、前記表示装置に情報を表示させるステップと、前記切替制御回路が、前記電極が前記表示制御部から前記通信回路に切り替えて接続されるように前記スイッチ回路を制御するステップとを含むことを特徴とするトランシーバにおける動作方法をもって解決手段とする。
【００１４】
請求項７の本発明は、伝達すべき情報に基づく電界が電界伝達媒体に誘起されてなされる通信における当該情報を電極により送信または受信する通信回路と、前記電極に対向する複数の画素電極を有する駆動回路と前記電極を有する表示回路と、前記電極と前記駆動回路に信号を供給して前記表示装置に情報を表示させる表示制御部と、前記電極を前記通信回路または前記表示制御部に切り替えて接続するスイッチ回路と、前記通信回路に接続された電源スイッチと、前記スイッチ回路を制御する切替制御回路とを備えるトランシーバにおける動作方法であって、前記切替制御回路が、前記電源スイッチがオンからオフになったか否かを判定するステップと、前記切替制御回路が、前記電源スイッチがオフになった場合、前記電極が前記通信回路から前記表示制御部に切り替えて接続されるように前記スイッチ回路を制御するステップとを含むことを特徴とするトランシーバにおける動作方法をもって解決手段とする。
【００１５】
請求項８の本発明は、伝達すべき情報に基づく電界が電界伝達媒体に誘起されてなされる通信における当該情報を電極により送信または受信する通信回路と、前記電極に対向する複数の画素電極を有する駆動回路と前記電極を有する表示回路と、前記電極と前記駆動回路に信号を供給して前記表示装置に情報を表示させる表示制御部と、前記電極を前記通信回路または前記表示制御部に切り替えて接続するスイッチ回路と、前記通信回路に接続された電源スイッチと、前記スイッチ回路を制御する切替制御回路とを備えるトランシーバにおける動作方法であって、前記切替制御回路が、前記電源スイッチがオンからオフになったか否かを判定するステップと、前記切替制御回路が、前記電源スイッチがオフになった場合、前記電極が前記通信回路から前記表示制御部に切り替えて接続されるように前記スイッチ回路を制御するステップと、前記表示制御部が、前記表示装置に情報を表示させるステップとを含むことを特徴とするトランシーバにおける動作方法をもって解決手段とする。
【００１６】
請求項９の本発明は、伝達すべき情報に基づく電界が電界伝達媒体に誘起されてなされる通信における当該情報を電極により送信または受信する通信回路と、前記電極に対向する複数の画素電極を有する駆動回路と前記電極を有する表示回路と、前記電極と前記駆動回路に信号を供給して前記表示装置に情報を表示させる表示制御部と、前記電極を前記通信回路または前記表示制御部に切り替えて接続するスイッチ回路と、前記通信回路に接続された電源スイッチと、前記スイッチ回路を制御する切替制御回路と前記通信回路による累積の通信量が記憶されるメモリを備えるトランシーバにおける動作方法であって、前記切替制御回路が、前記電源スイッチがオフからオンになったか否かを判定するステップと、前記切替制御回路が、前記電源スイッチがオンになった場合、前記電極が前記表示制御部から前記通信回路に切り替えて接続されるように前記スイッチ回路を制御するステップと前記切替制御回路が、前記メモリに記憶された通信量の増加量が予め設定された量を超えたか否かを判定するステップと、前記切替制御回路が、超えたと判定された場合、前記電極を前記表示制御部に切り替えて接続させるステップと、前記表示制御部が、前記表示装置に情報を表示させるステップと、前記切替制御回路が、前記電極を前記通信回路に切り替えて接続させるステップと、前記切替制御回路が、前記電源スイッチがオンからオフになったか否かを判定するステップと、前記切替制御回路が、前記電源スイッチがオフになった場合、前記電極が前記通信回路から前記表示制御部に切り替えて接続されるように前記スイッチ回路を制御するステップとを含むことを特徴とするトランシーバにおける動作方法をもって解決手段とする。
【発明の効果】
【００１７】
本発明のトランシーバによれば、スイッチ回路を設けたことで、電界通信において情報を送信または受信するための電極を表示装置の電極とは別に設ける必要がないので、トランシーバを小型化することができる。かかるトランシーバの小型化は、切替制御回路を設けることで、可能とすることができる。例えば、電極が通信回路に接続される前に、表示装置に情報を表示させることができる。例えば、電極が表示制御部に接続された後に、表示装置に情報を表示させることができる。例えば、通信回路における通信量の増加量が予め設定された量を超えるごとに、表示装置に情報を表示させることができる。
【発明を実施するための最良の形態】
【００１８】
以下、本発明の実施の形態を図面を参照して説明する。
【００１９】
［第１の実施の形態］
図１は、第１の実施の形態に係るトランシーバの構成図である。
【００２０】
トランシーバ１は、図示しない他のトランシーバに伝達すべき、あるいは、他のトランシーバからトランシーバ１に伝達すべき情報に基づく電界が、人体などの電界伝達媒体に誘起されてなされる通信（電界通信という）に使用されるものである。
【００２１】
トランシーバ１は、そのような情報を送信または受信する通信回路１１と、情報を表示する表示装置１２と、情報を表示させる表示制御部１３と、情報が記憶されるメモリ１４と、電池Ｅと、電池Ｅと通信回路１１間の電源スイッチＳＷと、表示装置１２内の電極Ｐと表示制御部１３間のスイッチＳＷ１ならびに電極Ｐと通信回路１１間のスイッチＳＷ２を有するスイッチ回路１５と、スイッチ回路１５を制御する切替制御回路１６とを備える。表示制御部１３は常に電池Ｅに給電されている。電源スイッチＳＷは、トランシーバ１のユーザにより操作可能となっている。
【００２２】
表示装置１２は、例えば、いわゆる電子ペーパであり、電極Ｐと、プリント基板１２１と、その上に搭載された画素電極１２２を有する駆動回路、…と、画素電極１２２ごとの電子インク１２３を備える。電子インク１２３は、マイクロカプセルやシリコンビーズなどである。
【００２３】
図２は、トランシーバ１の断面図である。
【００２４】
トランシーバ１は、筐体１７を有し、表示装置１２は、筐体１７の表面に配置される。図１の通信回路１１、表示制御部１３、メモリ１４、スイッチ回路１５および切替制御回路１６は、筐体１７内のプリント基板１８に搭載される。
【００２５】
（第１の実施の形態に係るトランシーバの動作方法）
図３は、トランシーバ１のフローチャートである。図４は、トランシーバ１の利用形態を示す図である。ここでは、電源スイッチＳＷがオフ、スイッチ回路１５のスイッチＳＷ１がオン、スイッチＳＷ２がオフであることとする。
【００２６】
切替制御回路１６は、電源スイッチＳＷがオフからオンになったか否かを判定する（図３：ステップＳ１）。ユーザが電源スイッチＳＷをオンさせた（図４：ステップＤ１）ことで、例えば、ＹＥＳと判定された場合、判定結果を受けて、表示制御部１３が、オンであるスイッチＳＷ１を介して電極Ｐに信号を供給し、また、プリント基板１２１上の駆動回路にも信号を供給することで、メモリ１４に記憶された情報を表示装置１２に表示させる（図３、図４：ステップＳ３）。例えば、電池Ｅの残量、通信回路１１による通信状況、トランシーバ１が稼働中である旨の情報が表示される。
【００２７】
次に、切替制御回路１６は、スイッチ回路１５のスイッチＳＷ１をオフ、スイッチＳＷ２をオンさせる（ステップＳ５）。これにより、表示制御部１３から電極Ｐへの信号が絶たれるが、電子ペーパである表示装置１２では、表示が維持される。
【００２８】
表示を確認したユーザにより、トランシーバ１が身につけられる（図４：ステップＤ３）と、トランシーバ１では、図示しない他のトランシーバとの間の電界通信（図４：ステップＤ５）がなされる。
【００２９】
例えば、トランシーバ１が他のトランシーバに情報を送信する場合、まず、通信回路１１が、伝達すべき情報に基づく波形の電圧を、オンであるスイッチＳＷ２を介して電極Ｐにを印加する。電極Ｐは、ユーザに容量結合し、ユーザと大地との間に電界が生じる。電界の一部は、他のトランシーバを経由することで、他のトランシーバがもつ同様な電極に同じ波形の電圧が印加される。他のトランシーバは、その電圧の波形により情報を再生する。
【００３０】
他のトランシーバも、トランシーバ１が行ったように情報を送信する。トランシーバ１も、他のトランシーバが行ったように情報を受信する。
【００３１】
かかる電界通信の中にあって、通信回路１１は、メモリ１４に累積の通信量を記憶させ、適宜更新する。
【００３２】
さて、ステップＳ１でＮＯと判定された場合、または、ステップＳ５の次で、切替制御回路１６は、電源スイッチＳＷがオンからオフになったか否かを判定する（図３：ステップＳ７）。ＮＯと判定された場合、ステップＳ１に戻る。
【００３３】
一方、例えば、ユーザが身につけたトランシーバ１を取りだし（図４：ステップＤ７）、ユーザが電源スイッチＳＷをオフさせた（図４：ステップＤ９）ことで、例えば、ステップＳ７でＹＥＳと判定された場合、切替制御回路１６は、スイッチ回路１５のスイッチＳＷ１をオン、スイッチＳＷ２をオフさせる（図３：ステップＳ９）。
【００３４】
次に、ステップＳ７でＹＥＳと判定されたとの判定結果を受けて、表示制御部１３が、オンであるスイッチＳＷ１を介して電極Ｐに信号を供給し、また、プリント基板１２１上の駆動回路にも信号を供給することで、メモリ１４に記憶された情報を表示装置１２に表示させ（図３、図４：ステップＳ１１）、ステップＳ１に戻る。例えば、電池Ｅの残量、通信回路１１による通信状況、トランシーバ１が稼働を終了する旨の情報が表示される。［第２の実施の形態］
図５は、第２の実施の形態に係るトランシーバの構成図である。
【００３５】
第２の実施の形態に係るトランシーバ２は、第１の実施の形態のものと、ほぼ同様なので、第１の実施の形態と同様の構成要素には、同一符号を付し、重複説明を省略する。
【００３６】
トランシーバ２は、通信回路１１と、表示装置１２と、表示制御部１３と、メモリ１４と、電池Ｅと、スイッチ回路１５と、切替制御回路１６Ａとを備える。
【００３７】
（第２の実施の形態に係るトランシーバの動作方法）
図６は、トランシーバ２のフローチャートである。図７は、トランシーバ２の利用形態を示す図である。ここでは、電源スイッチＳＷがオフ、スイッチ回路１５のスイッチＳＷ１がオン、スイッチＳＷ２がオフであることとする。
【００３８】
切替制御回路１６Ａは、電源スイッチＳＷがオフからオンになったか否かを判定する（図６：ステップＳ１０１）。ユーザが電源スイッチＳＷをオンさせた（図７：ステップＤ１０１）ことで、例えば、ＹＥＳと判定された場合、判定結果を受けて、表示制御部１３が、オンであるスイッチＳＷ１を介して電極Ｐに信号を供給し、また、プリント基板１２１上の駆動回路にも信号を供給することで、メモリ１４に記憶された情報を表示装置１２に表示させる（図６、図７：ステップＳ１０３）。例えば、電池Ｅの残量、通信回路１１による通信状況、トランシーバ２が稼働中である旨の情報が表示される。
【００３９】
次に、切替制御回路１６Ａは、スイッチ回路１５のスイッチＳＷ１をオフ、スイッチＳＷ２をオンさせる（図６：ステップＳ１０５）。これにより、表示制御部１３から電極Ｐへの信号が絶たれるが、電子ペーパである表示装置１２では、表示が維持される。
【００４０】
表示を確認したユーザにより、トランシーバ２が身につけられる（図７：ステップＤ１０３）と、トランシーバ２では、図示しない他のトランシーバとの間の電界通信（図７：ステップＤ１０５）がなされる。
【００４１】
かかる電界通信の中にあって、通信回路１１は、メモリ１４に累積の通信量を記憶させ、適宜更新する。
【００４２】
切替制御回路１６Ａは、メモリ１４に記憶された通信量の増加量が予め設定された量を超えたか否かを判定する（図６：ステップＳ１０７）。ＮＯと判定された場合、切替制御回路１６Ａは、電源スイッチＳＷがオンからオフになったか否かを判定する（図６：ステップＳ１０９）。ＮＯと判定された場合、ステップＳ１０７に戻る。
【００４３】
ステップＳ１０７でＹＥＳと判定された場合、切替制御回路１６Ａは、スイッチ回路１５のスイッチＳＷ１をオン、スイッチＳＷ２をオフさせる（図７：ステップＳ１１１）。  次に、ステップＳ１０７でＹＥＳと判定されたとの判定結果を受けて、表示制御部１３が、オンであるスイッチＳＷ１を介して電極Ｐに信号を供給し、また、プリント基板１２１上の駆動回路にも信号を供給することで、メモリ１４に記憶された情報を表示装置１２に表示させる（図６、図７：ステップＳ１１３）。例えば、電池Ｅの残量、通信回路１１による通信状況が表示される。
【００４４】
次に、切替制御回路１６Ａは、スイッチ回路１５のスイッチＳＷ１をオフ、スイッチＳＷ２をオンさせる（図６：ステップＳ１１５）。これにより、表示制御部１３から電極Ｐへの信号が絶たれるが、電子ペーパである表示装置１２では、表示が維持される。
【００４５】
次に、切替制御回路１６Ａは、電源スイッチＳＷがオンからオフになったか否かを判定する（図６：ステップＳ１０９）。ＮＯと判定された場合、ステップＳ１０７に戻る。  よって、電界通信（図７：ステップＤ１０５）により、予め設定された量と同じ通信量がメモリ１４に記憶されるごとに、メモリ１４に記憶された情報が表示される（図７：ステップＳ１１３）。
【００４６】
なお、ユーザが電源スイッチＳＷをオンさせないことにより、図６のステップＳ１０１でＮＯと判定された場合、切替制御回路１６Ａは、電源スイッチＳＷがオンからオフになったか否かを判定する（図６：ステップＳ１０９）。この場合、電源スイッチＳＷはオフなのでＮＯと判定され、ステップＳ１０７に戻る。この場合、通信できないのでＮＯと判定され、ステップＳ１０９に戻る。つまり、電源スイッチＳＷをオンさせない間は、ステップＳ１０１の後、ステップＳ１０９、Ｓ１０７が繰り返される。
【００４７】
一方、例えば、ユーザが身につけたトランシーバ２を取りだし（図７：ステップＤ１０７）、ユーザが電源スイッチＳＷをオフさせた（図７：ステップＤ１０９）ことで、例えば、ステップＳ１０９でＹＥＳと判定された場合、切替制御回路１６は、スイッチ回路１５のスイッチＳＷ１をオン、スイッチＳＷ２をオフさせる（図６：ステップＳ１１７）。
【００４８】
次に、ステップＳ１０９でＹＥＳと判定されたとの判定結果を受けて、表示制御部１３が、オンであるスイッチＳＷ１を介して電極Ｐに信号を供給し、また、プリント基板１２１上の駆動回路にも信号を供給することで、メモリ１４に記憶された情報を表示装置１２に表示させ（図６、図７：ステップＳ１１９）、ステップＳ１０１に戻る。例えば、電池Ｅの残量、通信回路１１による通信状況、トランシーバ２が稼働を終了する旨の情報が表示される。
【００４９】
以上説明したように、本発明に係るトランシーバによれば、スイッチ回路を設けたことで、電界通信において情報を送信または受信するための電極を表示装置の電極とは別に設ける必要がないので、トランシーバを小型化することができる。
【００５０】
例えば、図２に示すような配置とトランシーバ１の厚さが決まっている場合は、表示装置１２の電極とは別な電極を設ける必要がないことにより、プリント基板１８上で、部品の空間を高くとれ、よって、背の高い部品を使用することができる。
【００５１】
かかるトランシーバの小型化は、切替制御回路を設けることで、可能とすることができる。例えば、電極が通信回路に接続される前に、表示装置に情報を表示させることができる。例えば、電極が表示制御部に接続された後に、表示装置に情報を表示させることができる。例えば、通信回路における通信量の増加量が予め設定された量を超えるごとに、表示装置に情報を表示させることができる。
【図面の簡単な説明】
【００５２】
【図１】第１の実施の形態に係るトランシーバの構成図である。
【図２】トランシーバ１の断面図である。
【図３】トランシーバ１のフローチャートである。
【図４】トランシーバ１の利用形態を示す図である。
【図５】第２の実施の形態に係るトランシーバの構成図である。
【図６】トランシーバ２のフローチャートである。
【図７】トランシーバ２の利用形態を示す図である。
【図８】電界伝達媒体に電界を誘起させて行う通信のしくみを説明するための模式図である。
【符号の説明】
【００５３】
１、２…トランシーバ
ＳＷ１、ＳＷ２…スイッチ
１１…通信回路
１２…表示装置
１２Ａ、１２Ｂ、Ｐ…電極
１３…表示制御部
１４…メモリ
１５…スイッチ回路
１６、１６Ａ…切替制御回路
１６Ａ…切替制御回路
１７…筐体
１８、１２１…プリント基板
１２２…画素電極
１２３…電子インク
Ｅ…電池
Ｍ…電界伝達媒体
ＳＷ…電源スイッチ
【図１】
0004751903.tif 000002
【図２】
0004751903.tif 000003
【図３】
0004751903.tif 000004
【図４】
0004751903.tif 000005
【図５】
0004751903.tif 000006
【図６】
0004751903.tif 000007
【図７】
0004751903.tif 000008
【図８】
0004751903.tif 000009